(57)【要約】【課題】  従来技術の色分解テーブル作成方法を使って、低品位モードのメディアの設計を行った後、高品位のメディアの色分解テーブルを用いて、グリット数の変換により低品位メディアの色分解テーブルを自動的に作成する方法を提案すること。【解決手段】  変換後の色分解テーブルは画像形成装置における、色材色の使用量の換算する手段と、画像形成装置における、インクの切り替えの換算する手段と、画像形成装置における、インクの切り替え変換した後の画像形成メディアの使用量制限を厳守する色分解テーブルを作成する画像処理手段を有する構成とする。【選択図】  図１
2009055424.tif 000002
【特許請求の範囲】
【請求項１】
複数のメディア間において、メインメディアの画像メディアＩの色材色への色分解テーブルを用いて他メディアの画像メディアIIの色分解テーブルを作成する画像形成装置において、前記メディア間の色分解テーブルは、
画像形成装置におけるメインメディアの選択する手段と、
画像形成装置における、メインメディアの色材色の使用量を算出する手段と、
画像形成装置における他メディア色材色の使用量を算出する手段と、
画像形成装置における、コントロールポイント（Grid点）が異なるメディアの色分解テーブルをメインメディアの色分解テーブルから作成する手段を有し、画像メディアＩの色分解テーブルから画像メディアIIの色分解テーブルを作成することを特徴とする画像形成装置。
【請求項２】
画像形成装置における色材色への色分解テーブルを用いて処理する画像処理方法において、
前記色分解テーブルは画像形成装置における、
(1) 色材色の使用量の換算するステップと、
(2) 画像形成メディアの使用量制限以下になるように色材色の使用量を補正するステップと、
(3) 前記使用量を補正するステップにより、補正された色材色の使用量を平滑化するステップと、
(4) 画像形成メディアの使用量制限と前記の色材色の使用量との比較するステップと、
(5) 画像形成装置における、画像形成メディアの使用量制限によりオーバーしている格子点とその色分解テーブルの値を記録するステップとを有し、
上記(2)から(5)のループ処理を全て格子点の色材色の使用量が画像形成メディアの使用量制限以下になるまで繰り返し、画像形成メディアの使用量制限を厳守する色分解テーブルを作成することを特徴とする画像処理方法。
【請求項３】
複数のメディア間において、メインメディアの画像メディアＩの色材色への色分解テーブルを用いて他メディアの画像メディアIIの色分解テーブルを作成する画像形成装置において、前記メインメディアの選択する手段は、
画像形成装置における多数メディア間に一番大きい色材色の使用量が大きいメディアを選択する手段と、
画像形成装置における、多数メディア間に一番ユーザが多く使用するメディアを選択する手段と、
画像形成装置における、多数メディア間に色材色の使用量中間にあるようなメディアを選択する手段を有し、画像メディアＩの色分解テーブルから画像メディアIIの色分解テーブルを作成することを特徴とする画像形成装置。
【請求項４】
画像形成装置におけるメディア間において、色材色への色分解テーブルを用いて処理する画像形成装置において、前記メディア間の色分解テーブルは、
画像形成装置におけるメディアＩの色材色の使用量を算出する手段と、
画像形成装置における、画像形成メディアＩに対する画像形成メディアの使用量制限以下になるように色材色の使用量を補正する手段と、
画像形成装置におけるメディアIIの色材色の使用量を算出する手段と、
画像形成装置における、画像メディアＩの色分解テーブルを用いて、コントロールポイント（Grid点）が異なる画像形成メディアIIに対する色分解テーブルを換算する手段と、画像形成装置における、画像メディアIIに対する画像形成メディアの使用量制限以下になるように色材色の使用量を補正する手段とを有し
、画像メディアＩの色分解テーブルから画像メディアIIの色分解テーブルを作成することを特徴とする画像形成装置。
【請求項５】
複数の色材によって画像を形成する画像形成装置であって、カラー画像データを入力する入力手段と、該入力されたカラー画像データの示す色を色分解テーブルに基づいて前記複数の色材色へ分解する色分解手段と、色分解された前記複数の色材色に分解されたカラー画像データに基づき、可視像を形成する画像形成手段とを有し、前記色分解テーブルは、請求項1乃至請求項４のいずれかに記載された制御方法によって作成されたものであることを特徴とする画像形成装置。
【請求項６】
コンピュータで実行されることによって、請求項1乃至請求項４のいずれかに記載された制御方法を実現するプログラム。
【請求項７】
請求項５記載のプログラムを記録した記録媒体。
【発明の詳細な説明】
【技術分野】
【０００１】
本発明は、カラープリンタ用画像処理装置、方法に関するものであり、特に、カラープリンタに用いられる色材（インク、トナー）量に分解する画像処理に関するものである。
【０００２】
異なる記録媒体により、色分解処理も異なる、本発明は、異なる記録媒体の色分解処理に関するものである。
【背景技術】
【０００３】
図1０は、従来技術を表す図である。同図においてステップS15-0は、スタートステップであり、ステップS15-1は、インク組み合わせの基本データを調べるために、基本パッチを出力して、測色するステップである、このステップでは、インク基本組み合わせの測色データを得ることができる。そこで、測色データを代入する。ステップＳ15-2は、W-Bkライン、W-C,M,Y,R,G,Bライン、C,M,Y,R,G,B-BkラインとC-R,R-Y,Y-G,G-C,C-B,B-Cの色分解テーブルを作成するステップであり、ステップS15-３は、前記の色分解テーブルに基づきその間にテーブルデータを求めるための内部補間処理であり、補間処理方法は、立方体で構成される色空間を六つの四面体に領域を分割して、領域ごとに補間処理を施すことを特徴としているため、領域の境界において擬似輪郭が発生する。擬似輪郭の発生を抑制するための平滑処理方法、ステップS15-4は平滑化処理であり、ステップS15-5は、メディアのＭａｘ打込量制限を守るようなテーブルを作成するための打込量補正処理である。ステップS15-6は、処理終了ステップである。
【０００４】
上記の例として、下記特許文献１をあげることが出来る。
【特許文献１】特開２００３−１１６０１６号公報
【発明の開示】
【発明が解決しようとする課題】
【０００５】
上記で述べたのは、インクとプロセスの環境を一定である場合に、一つメディアの色分解テーブルを作成する技術である。言い換えると、メディアの色分解テーブルを作成するたびに上記の技術を利用し、上記に記載した方法で設計を行わなければならない。近年、プリンタ画質の向上により、ユーザはメディアに対する要求も以前より高くなってきた。一つのプリンタに多メディア対応が普通になってきた。設計からみると、メディアを一つ増やすと、設計の負荷が増えるという情況である。しかし、多メディア対応機種の設計期間が以前と同じであるため、設計期間内で多メディア対応の色分解テーブルを作成するには、多メディアの設計を自動化させなければならない。
【０００６】
そこで、本出願にかかる目的は、従来技術の色分解テーブル作成方法を使って、低品位モードのメディアの設計を行った後、高品位のメディアの色分解テーブルを用いて、グリット数の変換により低品位メディアの色分解テーブルを自動的に作成する方法を提案することである。
【課題を解決するための手段】
【０００７】
本発明は、前記の目的を達成する一つの手段として、以下の構成を備える。
【０００８】
本発明にかかる作成方法は、メディアによって、要求される画質のレベルが違う。各メディアの発色性と打込量最大値が違うため、インク使用する数も変わってくる。たとえば、メディアＩは6色使用して、メディアIIは4色しか使わない場合、メディアＩのために作った後段を利用してメディアIIの後段を作成する際に、インク数変換に対応する方法の提案は本発明のポイントである。インクインク数変換の対応方法は、カラーUCRを使用する。
【０００９】
上記目的を達成するための、本発明の画像形成装置における色材色への変換元色分解テーブルを用いて処理する方法Ｉにおいて、変換後の色分解テーブルは
・画像形成装置における、色材色の使用量の換算する手段と
・画像形成装置における、インクの切り替えの換算する手段と
・画像形成装置における、インクの切り替え変換した後の画像形成メディアの使用量制限を厳守する色分解テーブルを作成する画像処理手段。
【００１０】
上記発明の構成において、インク使用数が異なるメディア間の色分解テーブルの作成が可能になる。
【発明の効果】
【００１１】
以上説明したように、本発明によれば、二つMax打込量制限が違うようなメディアの色分解テーブルを効率よく作成することができた。
【発明を実施するための最良の形態】
【００１２】
次に、本発明の詳細を実施例の記述に従って説明する。
【実施例１】
【００１３】
図１は、プリンタで画像出力するプロセスである。同図において101は、入力画像データRGBの再現特性とプリンタの色を合わせるためのカラーマッチング処理部、102は、カラーマッチング処理部101からのR'G'B'多値データをプリンタの色材色C'M'Y'K'へ変換するための色分解処理部、103は、インク分解処理部102からのC'M'Y'K'多値データをプリンタで表現できる階調数に変換するためのハーフトーン処理部である。105は、インク色分解処理部102にて補間処理を実行するためのテーブルを提供するためのインク色分解テーブル部であり、104は、インク色分解テーブル部105の色分解テーブルを作成するためのインク色分解テーブル作成部である。
【００１４】
図２は、本発明が実施されるシステム構成であり、201は、入力画像データが保持されているコンピュータ、202は、コンピュータ201に保持されている画像データを表示するためのモニタ、203は、画像データを印刷するためのカラープリンタである。
【００１５】
以下、図2の本発明が実施されるシステム構成におけるデータの流れと本発明の画像処理フローが示されている図1の処理を合わせて説明する、図2におけるコンピュータ201に保持されている画像データは、プリンタ203で印刷するためケーブル、または、図示されていないネットワークなどを介して、プリンタ203に送られる。プリンタ203では、図1のカラーマッチング処理部101にて、ユーザーが用いているモニタ202の色再現特性に合うようにカラーマッチング処理を行う。カラーマッチング処理されたR'G'B'データは、インク色分解処理部102にて、すでに作成されたインク分解テーブル部105のデータに基づき補間処理によりインク色分解される。インク色分解されたC'M'Y'K'多値データは、ハーフトーン処理部103にて、プリンタの再現できる階調数に変換され、プリンタ203にて印刷される。
【００１６】
ここで、インク色分解テーブル部105に格納されているデータは、インク色分解テーブル作成部104にて、前もって生成されるが、その生成方法に関して、図2以降を用いて説明する。
【００１７】
図３は、インク色分解テーブル部105を説明する図であり、同図に示されているように、入力データR'G'B'に対応して、RGB3次元空間上の立方体に格子状に分布された格子点に対応するデータをテーブルとして格納されている。インク色分解部102では、入力されたR'G'B'データが、インク色分解テーブル部105の格子上にない場合は、近傍の格子点データを用いて補間処理がなされる。補間方法としては、四面体補間や立方体補間など多々あるが、本出願の打込量補正方法は特定の補間方法に依存するものではないため、どのような補間方法を用いても良い。
【００１８】
図４は具体的な色分解テーブル作成方法を説明するための図であり、図4に示された立方体の八つの頂点をそれぞれ、W,C,M,Y,R,G,B,Bkとし、W-C,M,Y,R,G,B-Bk、C-R,R-Y,Y-G,G-C,C-B,B-C及び、W-Bk結ぶラインを太い実線で示している。ここで、インク色分解処理部102の入力データのビット数を8とした場合、W,C,M,Y,R,G,B,Bk、各頂点の座標は、
W=(255,255,255)であり、White、即ちプリントペーパーの色を示す、
C=(0,255,255)であり、Cyan原色を示す、
M=(255,0,255)であり、Magenta原色を示す、
Y=(255,255,0)であり、Yellow原色を示す、
R=(255,0,0)であり、Red原色を示す、
G=(0,255,0)であり、Green原色を示す、
B=(0,0,255)であり、Blue原色を示す、
Bk=(0,0,0)であり、Black、即ちプリンタの最暗点を示す。
【００１９】
本発明のインク色分解テーブル作成方法は、このW-C,M,Y,R,G,B-Bk、C-R,R-Y,Y-G,G-C,C-B,B-C及び、W-Bkを結ぶラインのインク分解テーブルを作成し、その後、内部の格子点に対応するインク色は、内部補間処理により、全てのテーブルデータを作成する。
【００２０】
本実施例では、二種類のメディアを用いて説明する。一種類目のメディアをメディアＩと記し、二種類目のメディアをメディアIIと記する。
【００２１】
図５はメディアＩの色分解テーブルを作成する方法を説明する図である。
【００２２】
図５は、インク色分解テーブル作成部104を説明するためのフローチャートである。同図において、ステップS5-0は、スタートステップであり、インク色分解テーブル105にダウンロードするためのテーブル作成を開始する。ステップS5-1は、W-Bk, C-R,R-Y,Y-G,G-C,C-B,B-C及び、W-C,M,Y,R,G,B-Bkの色分解テーブルの作成ステップである。このステップのテーブル作成において、色相ごとに最適なUCR量やBG量を設定したテーブルを作成することにより、プリンタの色再現範囲を最大にしつつ、墨による粒状度の影響をできるだけ抑制したテーブルを設定することができる。ステップS5-2内部補間処理の具体的な処理を説明するためのフローチャートである。
【００２３】
以下、ステップS5-3からステップS5-4までの各ステップで構成されるループについて説明する。このループに入力信号は内部補間後の色分解テーブル信号である。ループを抜けた後の出力信号は、スムーズで、打込量オーバーするところがない色分解テーブルである。
【００２４】
ステップS5-3は、打込量補正処理である。このステップで、色分解テーブルに対して、打込量オーバーするところは、打込量補正倍率をかけることにより打込量補正処理を実施する。ここで、打込量補正倍率はループの回数により規定されるものである。色分解テーブルにある打込量オーバーするところはすこしずつ補正され、最終的に、打込量オーバーしないような色分解テーブルになる。
【００２５】
以下、打込量補正後の色分解テーブルを用いて、ステップS5-4の平滑化処理を行う。
【００２６】
平滑化後ステップS5-4を行う。このステップでは、平滑化後のテーブルについて、テーブル全体データをメディアの最大打込量と比べ、打込量をオーバーしているところがあるかどうかチェックする。打込量オーバーするところがなければ、ステップS5-5に進む。打込量オーバーするところがあれば、ステップS5-7に進む。
【００２７】
ステップS5-5は、ステップS5-4でチェックした結果を使って、色分解テーブルに打込量オーバーしている点を記録する。
【００２８】
このようなループを使って、色分解テーブルのデータに対して、打込量オーバーしているところをすこしずつ補正し、ステップS5-5の平滑化処理と絡みながら打込量補正処理することにより、色分解テーブルの打込量オーバーを補正することができて、擬似輪郭の発生も抑制できる。
【００２９】
ステップS5-6で、全処理が終わる。
【００３０】
図６はメディアＩにおける、打込量補正前の色分解テーブルの例である。総打込量がMax打込量制限を越えていることがわかる。
【００３１】
図７はメディアＩにおける、打込量補正後の色分解テーブルの例である。総打込量がMax打込量制限を守っていることがわかる。
【００３２】
図８は、グリット数がメディアＩのグリット数と違うメディアIIの色分解テーブルを作成するアルゴリズムである。ステップS8-0は、スタートするステップである。
【００３３】
ステップS8-1は、メディアＩの色分解テーブルを代入するステップである。ステップS8-2は、メディアIIの色分解テーブルのGrid_メディアIIを代入するステップである。
【００３４】
ステップS8-3はGrid_メディアＩの色分解テーブルの値を用いて、四面体補間により、Grid_メディアIIの色分解テーブルを作成するステップである。ステップS8-4をもって、全処理を終わる。
【００３５】
図９は、上記アルゴリズムを使って計算した結果の例である。図７に示したメディアＩの色分解例から、上記アルゴリズムを使用して、Grid数が変更することにより、メディアIIの色分解テーブルを作成した。
【図面の簡単な説明】
【００３６】
【図１】従来技術を最もよく表す図であり、W-Bkライン、W-C,M,Y,R,G,BラインとC,M,Y,R,G,B-Bkラインの色分解テーブルの作成部、内部補間処理部、そして、平滑化処理部の構成が示された図である。
【図２】本発明が実施されるシステム構成でありコンピュータ、モニタ、そして、プリンタの接続関係を示す図である。
【図３】図1のインク色分解テーブル部105のテーブルを示す図であり、各格子点にCMYKのデータが格納されている。
【図４】W-C,M,Y,R,G,B-Bk、C-R,R-Y,Y-G,G-C,C-B,B-C及び、W-Bk結ぶラインを示す図である。
【図５】図1のインク色分解テーブル部作成部104について、従来技術を詳しく説明するフローチャートである。
【図６】メディアＩの打込量補正を行う前のグレイラインの色分解結果である。
【図７】メディアＩの打込量補正を行う後のグレイラインの色分解結果である。
【図８】本発明のアルゴリズムである。
【図９】メディアIIは、図８のアルゴリズムで実行した後の色分解結果である。
【図１０】従来技術を表す図である。
【符号の説明】
【００３７】
101  カラーマッチング処理部
102  インク色分解処理部
103  ハーフトーン処理部
104  インク色分解テーブル作成部
105  インク色分解テーブル部
201  コンピュータ
202  モニタ
203  カラープリンタ
【図１】
2009055424.tif 000003
【図２】
2009055424.tif 000004
【図３】
2009055424.tif 000005
【図４】
2009055424.tif 000006
【図５】
2009055424.tif 000007
【図６】
2009055424.tif 000008
【図７】
2009055424.tif 000009
【図８】
2009055424.tif 000010
【図９】
2009055424.tif 000011
【図１０】
2009055424.tif 000012